(57)【要約】【課題】簡単に入手可能な安価な複数の材料をマスク用部材として用い、これを多層にして用いることで、安価でありながらウイルスを確実に遮断して人体への侵入を防止できる高機能なマスクを提供すること。【解決手段】複数のマスク用部材を積層して構成した多層式マスクにおいて、少なくとも、化学繊維からなる化繊マスク用部材と、不織布からなる不織布マスク用部材と、木綿地からなる綿布マスク用部材とを有することとした。【選択図】    図２
2005007072.tif 000002
【特許請求の範囲】
【請求項１】
複数のマスク用部材を積層して構成した多層式マスクにおいて、少なくとも、化学繊維からなる化繊マスク用部材と、不織布からなる不織布マスク用部材と、木綿地またはガーゼ地からなる綿布マスク用部材とを有することを特徴とする多層式マスク。
【請求項２】
前記不織布マスク用部材は、それぞれ目のあらさの異なる複数の不織布マスク用部材からなることを特徴とする請求項１記載の多層式マスク。
【請求項３】
前記マスク用部材は、装着状態において外側より相対的に目の粗い第１の不織布マスク用部材、相対的に目の細かい第２の不織布マスク用部材、化繊マスク用部材、綿布マスク用部材の順に積層されていることを特徴とする請求項１または２記載の多層式マスク。
【請求項４】
前記マスク用部材のいずれかに使用者の所望の形状に変形可能とした帯状の金属箔を取付けたことを特徴とする請求項１〜３のいずれか１項に記載の多層式マスク。
【請求項５】
前記マスク用部材のいずれかに使用者の目を覆う透光性を有するアイプロテクターを取付けたことを特徴とする請求項１〜４のいずれか１項に記載の多層式マスク。
【発明の詳細な説明】
【０００１】
【発明の属する技術分野】
本発明は、多層式マスクに関するものである。
【０００２】
【従来の技術】
従来、人が密集する場所で空気感染あるいは飛沫感染によって流行するインフルエンザなど、ウイルスによる感染を防止するためにマスクが用いられてきた。
【０００３】
また、近年では重症急性呼吸器症候群（ＳＡＲＳ）などに象徴される病原ウイルスが流行して社会的に大きな問題となっている。
【０００４】
さらに、今後についてもいかなる未知のウイルスが発生するか分からず、感染力の強いウイルスに対する不安感が増大している現状がある。
【０００５】
このようなウイルス対策用のマスクとして、マスク用部材を多層に形成し、各層にそれぞれ殺菌機能やウイルス捕集機能などの特有の機能を付与したものが提案されている。
【０００６】
例えば、マスクを光触媒層と炭素繊維層とで多層状に形成して、ウイルスなどがマスクを通過する際に光触媒層で殺菌するとともに、炭素繊維層にウイルスを吸着させ、ウイルスの人体への侵入を防止する構成のものがあった（特許文献１を参照。）。
【０００７】
【特許文献１】
特開２０００−１９７７１１号公報
【０００８】
【発明が解決しようとする課題】
しかし、上記従来の多層式マスクでは、光触媒装置を用いているために、使用時に光が必要となることから、暗所では殺菌効果が期待できず、使用形態が限定されてしまうという問題点がある。
【０００９】
また、上述したようにマスクを光触媒層、炭素繊維層などから形成して殺菌、高捕集効果を得ようとすると、例え二層といえどもコスト高となってしまう。ウイルス拡散防止のためには、感染が確認された地域（国を含む）及びその近隣の住民が誰でも負担なく入手できる、あるいは国や地方自治体が住民に無償配布できる程度の廉価なものであり、なおかつ十分な機能を有するマスクが望まれる。
【００１０】
また、ウイルスによっては粘膜から感染する場合があり、上述した従来の多層マスクで鼻や口を覆うようにしても、例えば目の粘膜にウイルスが付着して感染するおそれがあった。
【００１１】
【課題を解決するための手段】
そこで、請求項１記載の本発明では、複数のマスク用部材を積層して構成した多層式マスクにおいて、少なくとも、化学繊維からなる化繊マスク用部材と、不織布からなる不織布マスク用部材と、木綿地からなる綿布マスク用部材とを有することとした。
【００１２】
また、請求項２記載の本発明では、前記不織布マスク用部材は、それぞれ目のあらさの異なる複数の不織布マスク用部材からなることとした。
【００１３】
また、請求項３記載の本発明では、前記マスク用部材は、装着状態において外側より相対的に目の粗い第１の不織布マスク用部材、相対的に目の細かい第２の不織布マスク用部材、化繊マスク用部材、綿布マスク用部材の順に積層されていることとした。
【００１４】
また、請求項４記載の本発明では、前記各マスク用部材のいずれかに所望の形状に変形可能とした帯状の金属箔を取付けた。
【００１５】
また、請求項５記載の本発明では、前記マスク用部材のいずれかに使用者の目を覆う透光性を有するアイプロテクターを取付けた。
【００１６】
【発明の実施の形態】
本発明は、複数のマスク用部材を積層して構成した多層式マスクにおいて、少なくとも、化学繊維からなる化繊マスク用部材と、不織布からなる不織布マスク用部材と、木綿地またはガーゼ地からなる綿布マスク用部材とを有する構成としたものである。
【００１７】
このように、それぞれ簡単に入手可能な安価な複数の材料をマスク用部材として用い、これを多層にして用いることで、安価でありながらウイルスを確実に遮断して人体への侵入を防止できる高機能なマスクを提供することが可能となる。
【００１８】
特に、前記化繊マスク用部材は、例えばポリエステルの生地を用いるとよく、静電気を帯電させることができるので、ウイルスを表面に効果的に吸着させて捕集することができる。
【００１９】
また、前記不織布マスク用部材は、それぞれ目のあらさの異なる複数の不織布マスク用部材を用いることが好ましい。
【００２０】
例えば、相対的に目の粗い第１の不織布マスク用部材と、相対的に目の細かい第２の不織布マスク用部材とを用いることができる。
【００２１】
これにより、第１の不織布マスク用部材でウイルスの大半を吸着させ、第２の不織布マスク用部材で残りのウイルスを確実に吸着させることができる。
【００２２】
また、綿布マスク用部材は、木綿生地を用いてなるものであるが、綿布として綿布に似た織物であるあら目薄地のガーゼ地を用いてもよく、本発明における綿布マスク用部材としては、綿布の他、ガーゼ生地も含む。
【００２３】
上記複数のマスク用部材をどのように積層するかは、それぞれの機能を生かすために、装着状態において外側より相対的に目の粗い第１の不織布マスク用部材、相対的に目の細かい第２の不織布マスク用部材、化繊マスク用部材、綿布マスク用部材の順に積層するとよい。
【００２４】
かかる構成によれば、まず、第１の不織布マスク用部材でウイルスの大半を吸着し、これより内層側でのウイルス吸着量を減じ、第２の不織布マスク用部材でウイルスを確実に遮断する。そして、万一各不織布マスク用部材を通過したウイルスを、静電気を帯電させた化繊マスク用部材によって確実に遮断する。さらに、綿布マスク用部材により、外からの水分を確実に遮断するとともに、使用者の口から出る水分を吸着しマスクの機能低下を防止することができる。また、綿布マスク用部材を使用者の肌に直接触れる位置に配設したことで使用感が良好となる。
【００２５】
ところで、上記構成の多層式マスクにおいて、前記各マスク用部材のいずれかには、所望の形状に変形可能とした帯状の金属箔を取付けることができる。
【００２６】
かかる構成により、装着する使用者の顔面形状に最もフィットするように、あるいは所望する装着感を得られるようにマスクの立体的な形状を変更することが可能となって、使い勝手を著しく向上させることができる。
【００２７】
また、本発明の他の実施形態として、前記マスク用部材のいずれかに使用者の目を覆う透光性を有するアイプロテクターを取付けることもできる。
【００２８】
すなわち、ウイルスを含む飛沫を受けて粘膜から感染する場合も考えられるが、上記アイプロテクターを設けることで、眼の粘膜にウイルスが付着して感染することを防止でき、より確実な感染防止対策となる。
【００２９】
【実施例】
以下において、図面に基づいて本発明の実施例について詳説する。
【００３０】
（実施例１）
図１は実施例１に係る多層式マスクの斜視全体説明図、図２は同多層式マスクにアイプロテクターを取付けた場合の斜視全体説明図、図３は同多層式マスクを装着した場合の全体説明図である。図１〜３に示すＡは、本実施例１における多層式マスクであり、マスク本体Ｍに頭かけ用紐体Ｂを取付けて構成している。
【００３１】
前記マスク本体Ｍは、第１の不織布マスク用部材１と、同第１の不織布マスク用部材１の内側（使用者Ｈ側）に重合する第２の不織布マスク用部材２と、同第２の不織布マスク用部材２の内側に重合する化繊マスク用部材３と、同化繊マスク用部材３の内側に重合する綿布マスク用部材４とで四層に積層して構成するとともに、各マスク部材１〜４の周縁を縫い合わせるなどして、縫製によって一体に形成している。
【００３２】
第１の不織布マスク用部材１は、後述する第２の不織布マスク用部材２より目の粗い不織布によって矩形状に形成している。このように、不織布によって第１の不織布マスク用部材１を構成し、これを最外側に配置しているので、ＳＡＲＳウイルスなどのウイルス（以下、単に「ウイルス」という）を第１の不織布マスク用部材１の表面に吸着させ、ウイルスが多層式マスクＡの内側に入ってしまうことを可及的に防止することができる。
【００３３】
第２の不織布マスク用部材２は、前記第１の不織布マスク用部材１より目の細かい不織布（例えば、医療用に用いられる防菌加工を施した高密度の不織布など）によって矩形状に形成している。このように、目の細かい不織布によって第２の不織布マスク用部材２を構成し、これを外側より二層目に配置しているので、前述の第１の不織布マスク用部材１で遮断できなかったウイルスを確実に遮断し、ウイルスが多層式マスクＡの内側に入ってしまうことを確実に防止することができる。
【００３４】
化繊マスク用部材３は、静電気を帯電させることのできるポリエステルなどの化学繊維によって矩形状に形成している。このように、帯電性を有する化学繊維によって化繊マスク用部材３を構成し、これを外側より三層目に配置しているので、万一前記各不織布マスク用部材１，２を通過したウイルスを化繊マスク用部材３の表面に吸着させ、ウイルスが多層式マスクＡの内側に入ってしまうことを確実に防止することができる。
【００３５】
綿布マスク用部材４は、木綿地によって矩形状に形成し、これを最内側に配置しているので、木綿地の特性により外からの水分を吸着するとともに、使用者Ｈの口から出る水分を吸着することができる。また、使用者Ｈの肌に直接触れる位置に木綿地からなる綿布マスク用部材４を用いているので使用感が向上するとともに、使用者Ｈの肌に対するアレルギーを防止することもできる。
【００３６】
このように、各マスク用部材１〜４を積層して構成しているので、それぞれのマスク用部材１〜４によって、ウイルスが多層式マスクＡの内側に入ってしまうことを確実に防止することができる。
【００３７】
また、最も内側に配置したマスク用部材（ここでは綿布マスク用部材４）の内面上端部近傍には、左右方向に伸延する帯状の金属箔５を取付けている。
【００３８】
金属箔５は、可塑性のある素材によって形成して、多層式マスクＡを装着する際に、金属箔５を使用者Ｈの所望の形状に変形することで、マスク本体Ｍの形状を金属箔５の変形にともなって使用者Ｈの所望の形状、例えば、使用者Ｈの顔面形状に沿って変形させることができるようにしている。このようにして、金属箔５を多層式マスクＡの装着時に使用者Ｈの顔面形状に沿って変形させた場合には、マスク本体Ｍを使用者Ｈに密着した状態で装着することができ、ウイルスが入り込んでしまうことを防止することができる。
【００３９】
あるいは、マスク本体Ｍと使用者Ｈの顔面との間に隙間ができるように金属箔５を変形することで、使用者Ｈの呼吸を容易にすることもできる。
【００４０】
このようにして、金属箔５を変形することで、マスク本体Ｍを用途に合わせた所望の形状に自在に変形させることができる。
【００４１】
また、図２に示すように、外側から三層目に配置するマスク用部材（ここでは化繊マスク用部材３）と、最内側に配置するマスク用部材（ここでは綿布マスク部材４）との間に、使用者Ｈの眼を覆う透光性を有するアイプロテクター６を設けて、使用者Ｈの視覚を確保しながら、眼の粘膜にウイルスが飛散・受着してしまうことを防止することもできる。このアイプロテクター６は、透明なフィルム状の材料を適宜形状に形成すればよく、各マスク用部材を縫製する際に同時に縫い込むことができる。
【００４２】
また、本実施例においては、最も内側に配置したマスク用部材（ここでは綿布マスク用部材４）の上部両端と下部両端に、それぞれゴムなどからなる頭かけ用紐体Ｂを取付けて、使用者Ｈが多層式マスクＡを頭から被るようにして装着することができるようにしている。なお、この頭かけ用紐体Ｂの取付方法や取付位置などは適宜決定することができる。
【００４３】
本発明に係る多層式マスクＡは、上記した構成となっており、空気中に飛散するウイルスの体内への侵入を効果的に防止することができる。
【００４４】
すなわち、第１の不織布マスク用部材１でウイルスの大半を吸着し、これより内層側でのウイルス吸着量を減じ、第２の不織布マスク用部材２でウイルスを確実に遮断する。そして、万一前記各不織布マスク用部材１，２を通過したウイルスを、静電気を帯電させた化繊マスク用部材３によって確実に遮断する。さらに、綿布マスク用部材４により、外からの水分を確実に遮断するとともに、使用者Ｈの口から出る水分を吸着しマスクの機能低下を防止する。
【００４５】
また、使用者Ｈの眼を覆うアイプロテクター６によって、眼の粘膜にウイルスが付着して感染することを防止し、より確実な感染防止対策となる。
【００４６】
この際、可塑性のある金属箔５によって、マスク本体Ｍを使用者Ｈの鼻部に密着するように変形して装着することができる。このようにして、使用者Ｈと多層式マスクＡの間に隙間ができてしまうことを防止して、使用者Ｈの体内にウイルスが入り込んでしまうことを防止する。
【００４７】
なお、金属箔５を適宜変形させ、マスク本体Ｍが使用者Ｈの鼻部に密着しないように変形して使用者Ｈの呼吸を容易にすることもできる。
【００４８】
このように、各マスク用部材１〜４で四層積層状態に構成したマスク本体Ｍによって、ウイルスが使用者Ｈの体内に侵入してしまうことを完全に防止する。
【００４９】
（実施例２）
図４に示すＡは、実施例２における多層式マスクであり、実施例１における多層式マスクＡと基本構成は略同一であるが、四層に積層させたマスク本体Ｍの構成において異なっており、以下、図面を参照しながら詳説する。
【００５０】
実施例２における多層式マスクＡのマスク本体Ｍは、化繊マスク用部材３と、同化繊マスク用部材３の内側（使用者Ｈ側）に重合する第１の不織布マスク用部材１と、同第１の不織布マスク用部材１の内側に重合するガーゼ地からなる綿布マスク用部材４と、同綿布マスク用部材４の内側に重合する第２の不織布マスク用部材２とで四層に積層して構成するとともに、各マスク部材１〜４の周縁を縫い合わせるなどして、縫製によって一体に形成している。
【００５１】
化繊マスク用部材３は、静電気を帯電させることのできるポリエステルなどの化学繊維によって矩形状に形成している。このように、帯電性を有する化学繊維によって化繊マスク部材１を構成し、これを最外側に配置しているので、ウイルスを化繊マスク用部材１の表面に吸着させ、ウイルスが多層式マスクＡの内側に入ってしまうことを可及的に防止することができる。
【００５２】
第１の不織布マスク用部材１は、後述する第２の不織布マスク用部材２より目の粗い不織布によって矩形状に形成している。このように、不織布によって第１の不織布マスク１を構成し、これを外側より二層目に配置しているので、ウイルスを第１の不織布マスク用部材１の表面に吸着させ、ウイルスが多層式マスクＡの内側に入ってしまうことを可及的に防止することができる。
【００５３】
綿布マスク用部材４は、ガーゼ地によって矩形状に形成し、これを外側より三層目に配置しているので、ガーゼ地の特性により外からの水分やウイルスが付着したエアゾル（微粒塵）を綿布マスク用部材４の表面に付着させ、これらの人体への進入を可及的に遮断することができる。
【００５４】
第２の不織布マスク用部材２は、前記第１の不織布マスク用部材４より目の細かい不織布（例えば、医療用に用いられる防菌加工を施した高密度の不織布など）によって矩形状に形成している。このように、目の細かい不織布によって第２の不織布マスク用部材２を構成し、これを最内側に配置しているので、前述の各マスク部材１〜３で遮断できなかったウイルスを完全に遮断することができる。
【００５５】
このように、上記複数のマスク用部材１〜４は、それぞれの機能を生かすために、装着状態において外側より化繊マスク用部材３、相対的に目の粗い第１の不織布マスク用部材１、綿布マスク用部材４、相対的に目の細かい第２の不織布マスク用部材２の順に積層している。
【００５６】
かかる構成によれば、先ず帯電させた化繊マスク用部材３でウイルスをマスク本体Ｍの表面に吸着させて下層側で吸収させる量を可及的に減じ、第１の不織布マスク用部材１でウイルスの大半を吸着し、これより下層側でのウイルス吸着量をさらに減じる。そして、綿布マスク用部材４によって、外からの水分やウイルスが付着したエアゾル（微粒塵）を確実に遮断する。さらに、目の細かい第２の不織布マスク用部材２により、この最下層まで達したウイルスを確実に吸着して人体への侵入を確実に防止することができる。
【００５７】
なお、図中、実施例１に示した部分に対応する部分には同じ番号を付してその説明を省略した。
【００５８】
実施例２における多層式マスクＡは以上のように構成されており、本実施例においても、やはり空気中に飛散するウイルスの体内への侵入を効果的に防止することができる。
【００５９】
すなわち、帯電させた化繊マスク用部材３でウイルスをマスク本体Ｍの表面に吸着させて下層側で吸収させる量を可及的に減じ、第１の不織布マスク用部材１でウイルスの大半を吸着し、これより下層側でのウイルス吸着量をさらに減じる。そして、綿布マスク用部材４によって、外からの水分やウイルスが付着したエアゾル（微粒塵）を確実に遮断する。さらに、目の細かい第２の不織布マスク用部材２により、この最下層まで達したウイルスを確実に吸着して人体への侵入を確実に防止する。
【００６０】
また、使用者Ｈの眼を覆うアイプロテクター６によって、眼の粘膜にウイルスが付着して感染することを防止でき、より確実な感染防止対策とすることができる。
【００６１】
この際、可塑性のある金属箔５によって、マスク本体Ｍを使用者Ｈの鼻部に密着するように変形して装着すると、使用者Ｈと多層式マスクＡの間に隙間ができてしまうことを防止して、使用者Ｈの体内にウイルスが入り込んでしまうことを防止する。
【００６２】
なお、金属箔５を適宜変形させ、マスク本体Ｍを使用者Ｈの鼻部に密着しないように変形して使用者Ｈの呼吸を容易にすることもできる。
【００６３】
このように、各マスク用部材１〜４で四層積層状態に構成したマスク本体Ｍによって、ウイルスが使用者Ｈの体内に侵入してしまうことを完全に防止する。
【００６４】
【発明の効果】
（１）請求項１記載の本発明では、複数のマスク用部材を積層して構成した多層式マスクにおいて、少なくとも、化学繊維からなる化繊マスク用部材と、不織布からなる不織布マスク用部材と、木綿地またはガーゼ地からなる綿布マスク用部材とを有することとしたので、化繊マスク用部材によって静電気を帯電させ、ウイルスを吸着させるとともに、不織布マスク用部材によってウイルスを吸着させる一方、綿布マスク用部材により水分を確実に遮断するとともに、使用者の口から出る水分を吸着しマスクの機能低下を防止することができる。このようにして、それぞれ簡単に入手可能な安価な複数の材料をマスク用部材として用い、これを多層にして用いることで、安価でありながらウイルスを確実に遮断して人体への侵入を防止できる高機能なマスクを提供することが可能となる。
【００６５】
（２）請求項２記載の本発明では、前記不織布マスク部材は、それぞれ目のあらさの異なる複数の不織布マスク部材からなることとしたので、一方の不織布マスク部材でウイルスの大半を吸着させ、他方の不織布マスク部材で残りのウイルスを確実に吸着させることができる。
【００６６】
（３）請求項３記載の本発明では、前記マスク用部材は、装着状態において外側より相対的に目の粗い第１の不織布マスク用部材、相対的に目の細かい第２の不織布マスク用部材、化繊マスク用部材、綿布マスク用部材の順に積層したので、まず、第１の不織布マスク用部材でウイルスの大半を吸着し、これより内層側でのウイルス吸着量を減じ、第２の不織布マスク用部材でウイルスを確実に遮断する。そして、万一各不織布マスク用部材を通過したウイルスを、静電気を帯電させた化繊マスク用部材によって確実に遮断する。さらに、綿布マスク用部材により、外からの水分を確実に遮断するとともに、使用者の口から出る水分を吸着しマスクの機能低下を防止する。
【００６７】
（４）請求項４記載の本発明では、前記マスク用部材のいずれかに使用者の所望の形状に変形可能とした帯状の金属箔を取付けたので、装着する使用者の顔面形状に最もフィットするように、あるいは所望する装着感を得られるようにマスクの立体的な形状を変更することが可能となって、使い勝手を著しく向上させることができる。
【００６８】
（５）請求項５記載の本発明では、前記マスク用部材のいずれかに使用者の目を覆う透光性を有するアイプロテクターを取付けたので、眼の粘膜にウイルスが付着して感染することを防止でき、より確実な感染防止対策とすることができる。
【図面の簡単な説明】
【図１】実施例１における多層式マスクの斜視全体説明図である。
【図２】実施例１における多層式マスクにアイプロテクターを取付ける場合の斜視全体説明図である。
【図３】本発明に係る多層式マスクを装着した場合の全体説明図である。
【図４】実施例２における多層式マスクの斜視全体説明図である。
【符号の説明】
Ａ  多層式マスク
１  第１の不織布マスク部材
２  第２の不織布マスク部材
３  化繊マスク用部材
４  綿布マスク用部材
５  金属箔
６  アイプロテクター
【図１】
2005007072.tif 000003
【図２】
2005007072.tif 000004
【図３】
2005007072.tif 000005
【図４】
2005007072.tif 000006